(57)【特許請求の範囲】
【請求項１】
上方に向かって延在し、内部に圧縮空気が導入され、前記圧縮空気を噴出させるノズル孔が上方先端部に形成された圧縮空気導入管、および、前記圧縮空気導入管の下方側において前記圧縮空気導入管の外周面を取り囲むように設けられる液体貯留部を含む、上方側が開放されたケース体と、
前記圧縮空気導入管の前記外周面に覆い被せられることにより、前記液体貯留部に貯留された液体を前記圧縮空気導入管の前記上方先端部に向けて吸い上げる吸上経路を形成するとともに、前記圧縮空気導入管に設けられた前記ノズル孔の出口領域に霧化部を形成する吸上経路形成体と、
前記霧化部で形成されたエアロゾルを外部に吐出するエアロゾル排出口を含み、前記ケース体の上方開口を覆うように前記ケース体に取り付けられる流路形成体と、を備え、
前記吸上経路は、
前記圧縮空気導入管の前記外周面に沿って上方に向かって延在する第１吸上経路と、
前記圧縮空気導入管の先端側において、前記第１吸上経路から前記ノズル孔側に向かって延在し、吸い上げられた前記液体を吐出する吸液口を有する第２吸上経路と、を含み、
前記吸上経路形成体の前記吸液口の上方には、上方に向かうにしたがって前記第１吸上経路側に向かう上部傾斜面領域が設けられ、
前記吸上経路形成体の前記吸液口の下方には、下方に向かうにしたがって前記第１吸上経路側に向かう下部傾斜面領域が設けられ、
前記上部傾斜面領域および前記下部傾斜面領域は、いずれも平面形状を有しており、
前記上部傾斜面領域および前記下部傾斜面領域が交差している部分は、直線状に延びる形状を有しており、
前記上部傾斜面領域および前記下部傾斜面領域が交差している上記部分は、前記吸液口の外縁のうちの最も下方側に位置する部分に対して接線となる位置において直線状に延びるように設けられているか、もしくは、前記吸液口よりも前記ノズル孔に近い側の位置において直線状に延びるように設けられている、
ネブライザキット。
【請求項２】
前記上部傾斜面領域の傾斜角度は、２０°以上４５°以下である、
請求項１に記載のネブライザキット。
【請求項３】
前記吸上経路形成体のうち前記吸液口と前記ノズル孔との間に位置する領域は、前記吸上経路形成体の当該領域以外の領域よりも親水性に富んでいる、
請求項１または２に記載のネブライザキット。
【請求項４】
圧縮空気を送り出すコンプレッサーを有する本体と、
前記コンプレッサーから送り出される圧縮空気が導入される圧縮空気管部と、
前記圧縮空気管部の一端が連結され、エアロゾルを生成する請求項１から３のいずれかに記載のネブライザキットと、を備える、
ネブライザ。
【発明の詳細な説明】
【技術分野】
【０００１】
本発明は、ネブライザおよびネブライザキットに関する。
【背景技術】
【０００２】
ネブライザは、水、食塩水、気管支等の疾患を治療する薬液、または、ワクチン等の液体を霧化することによって、エアロゾルを生成する。一般的なネブライザは、エアロゾルを生成するネブライザキットを備える。ネブライザキットを開示する文献としては、たとえば特開平０６−２８５１６８号公報（特許文献１）が知られている。
【０００３】
図６０を参照して、一般的なネブライザキット１０００Ｚについて説明する。図６０は、ネブライザキット１０００Ｚを示す断面図である。ネブライザキット１０００Ｚは、ケース体９００、霧化部形成体９２０、流路形成体９３０、および霧化部Ｍを備える。
【０００４】
（ケース体９００）
ケース体９００は、有底筒状に形成される。ケース体９００の上部には、上部開口９０２が設けられる。ケース体９００の内部には、圧縮空気導入管９１３および液体貯留部９１６が設けられる。圧縮空気導入管９１３は、ケース体９００の底面（液体貯留部９１６）側から上方側に向かって延在する。圧縮空気導入管９１３の内部には、圧縮空気（図示せず）が導入される。
【０００５】
圧縮空気導入管９１３の上部先端部９１３ａには、圧縮空気を噴出させるためのノズル孔９１５が設けられる。液体Ｗを貯留するための液体貯留部９１６は、圧縮空気導入管９１３の下方側において、圧縮空気導入管９１３の外周面を取り囲むように設けられる。
【０００６】
（霧化部形成体９２０）
霧化部形成体９２０は、吸液管形成部９２４、バッフル部９２２、およびバッフル支持部９２３を含む。吸液管形成部９２４は、筒状に形成される。吸液管形成部９２４の直径は、下方側から上方側に向かうにつれて小さくなる。吸液管形成部９２４の頂部には、開口部９２４ａが設けられる。バッフル部９２２は、開口部９２４ａの真上に位置する突起９２５を有する。突起９２５は必要に応じて設けられる。
【０００７】
バッフル支持部９２３は、吸液管形成部９２４の外表面からバッフル部９２２の側部に向かって延在する。バッフル部９２２および突起９２５は、開口部９２４ａに間隔を空けて対向する。霧化部形成体９２０は、圧縮空気導入管９１３の外表面が吸液管形成部９２４によって覆い被されるように、ケース体９００の内部に収容および配置される。
【０００８】
（流路形成体９３０）
流路形成体９３０は、ケース体９００の上部開口９０２を塞ぐようにケース体９００に取り付けられる。流路形成体９３０は、エアロゾル排出口９３２および外気導入管９３４を含む。エアロゾル排出口９３２は、流路形成体９３０の上部に設けられる。ケース体９００の内部（霧化部Ｍ）で生成されたエアロゾルは、エアロゾル排出口９３２を通して外部に排出される。外気導入管９３４は、流路形成体９３０を上方から下方に向かって貫通するように設けられる。エアロゾルの生成に用いられる外気は、外気導入管９３４を通して、ケース体９００の外部からケース体９００の内部（霧化部Ｍ）に向かって導入される。
【０００９】
（霧化部Ｍ）
図６１は、ネブライザキット１０００Ｚにおける霧化部Ｍを拡大して示す断面図である。霧化部Ｍは、霧化部形成体９２０に設けられたバッフル部９２２（突起９２５）と、圧縮空気導入管９１３に設けられたノズル孔９１５（図６０参照）との間に形成される。
【００１０】
圧縮空気導入管９１３の内部に導入された圧縮空気は、上部先端部９１３ａに設けられたノズル孔９１５を通して噴き出される（矢印ＡＲ９１３参照）。圧縮空気は、ノズル孔９１５から突起９２５に向かって噴き出された後、突起９２５およびバッフル部９２２に衝突するとともに、方向転換して放射状に広がる（矢印ＡＲ９２２参照）。霧化部Ｍおよびその近傍には、周囲の圧力よりも低い状態である負圧が発生する。
【００１１】
霧化部Ｍおよびその近傍において発生する負圧の作用によって、液体貯留部９１６から霧化部Ｍの近傍にまで液体Ｗが吸い上げられる（矢印ＡＲ９１５参照）。液体Ｗは、矢印ＡＲ９２２方向に流れる圧縮空気との衝突によって粉砕され、霧状粒子（微細な液滴）（図示せず）に変化する。
【００１２】
この霧状粒子は、外気導入管９３４を通してケース体９００の内部に導入された外気（矢印ＡＲ９３４参照）に付加される。霧化部Ｍにおいて、エアロゾルが生成される。エアロゾルは、旋回するようにしてエアロゾル排出口９３２（図６０参照）に向かって移動するとともに（矢印ＡＲ９３２参照）、エアロゾル排出口９３２（図６０参照）を通して外部に排出される。
【先行技術文献】
【特許文献】
【００１３】
【特許文献１】特開平０６−２８５１６８号公報
【発明の概要】
【発明が解決しようとする課題】
【００１４】
図６２は、ネブライザキット１０００Ｚにおける霧化部Ｍをさらに拡大して示す断面図である。上述のとおり、ノズル孔９１５を通して噴き出された圧縮空気（矢印ＡＲ９１３参照）は、突起９２５の下端９２５Ｔおよびバッフル部９２２（図６１参照）等に衝突する。突起９２５の下端９２５Ｔ等に衝突した圧縮空気は、方向転換して放射状に広がる（矢印ＡＲ９２２参照）。
【００１５】
圧縮空気は、液体Ｗを空気の圧力（風圧）により粉砕した後、バッフル支持部９２３（図６１参照）または外気導入管９３４（図６１参照）の内周面に衝突する。エアロゾルとなった圧縮空気は、旋回するようにしてエアロゾル排出口９３２（図６０参照）に向かって移動するとともに（図６１中の矢印ＡＲ９３２参照）、エアロゾル排出口９３２（図６０参照）を通して外部に排出される。
【００１６】
ネブライザキット１０００Ｚにおいてエアロゾルが生成される際、ノズル孔９１５から噴き出された圧縮空気は、まず突起９２５（およびまたはバッフル部９２２）に衝突し、次にバッフル支持部９２３（図６１参照）に衝突し、その後さらに外気導入管９３４（図６１参照）の内周面に衝突する。ノズル孔９１５から噴き出された圧縮空気は、これらの衝突の度に、圧力を損失する。
【００１７】
圧縮空気導入管９１３に導入される圧縮空気としては、圧力損失を見越した上で、エアロゾルの生成に必要な圧力を十分に備えた圧縮空気が、予め準備される必要がある。したがって、ネブライザキット１０００Ｚのような従来のネブライザキットにおいては、大きな流量を有する圧縮空気を生成するために、容量（流量）および大きさの大きなコンプレッサー等を用いることが必要であった。
【００１８】
本発明は、上記のような実情に鑑みてなされたものであり、エアロゾルが生成される際、圧縮空気の圧力が損失することを低減することが可能なネブライザキットおよびネブライザを提供することを目的とする。
【課題を解決するための手段】
【００１９】
本発明に基づくネブライザキットは、上方に向かって延在し、内部に圧縮空気が導入され、上記圧縮空気を噴出させるノズル孔が上方先端部に形成された圧縮空気導入管、および、上記圧縮空気導入管の下方側において上記圧縮空気導入管の外周面を取り囲むように設けられる液体貯留部を含む、上方側が開放されたケース体と、上記圧縮空気導入管の上記外周面に覆い被せられることにより、上記液体貯留部に貯留された液体を上記圧縮空気導入管の上記上方先端部に向けて吸い上げる吸上経路を形成するとともに、上記圧縮空気導入管に設けられた上記ノズル孔の出口領域に霧化部を形成する吸上経路形成体と、上記霧化部で形成されたエアロゾルを外部に吐出するエアロゾル排出口を含み、上記ケース体の上方開口を覆うように上記ケース体に取り付けられる流路形成体と、を備え、上記吸上経路は、上記圧縮空気導入管の上記外周面に沿って上方に向かって延在する第１吸上経路と、上記圧縮空気導入管の先端側において、上記第１吸上経路から上記ノズル孔側に向かって延在し、吸い上げられた上記液体を吐出する吸液口を有する第２吸上経路と、を含み、上記吸上経路形成体の上記吸液口の上方には、上方に向かうにしたがって上記第１吸上経路側に向かう上部傾斜面領域が設けられ、上記吸上経路形成体の上記吸液口の下方には、下方に向かうにしたがって上記第１吸上経路側に向かう下部傾斜面領域が設けられ、上記上部傾斜面領域および上記下部傾斜面領域は、いずれも平面形状を有しており、上記上部傾斜面領域および上記下部傾斜面領域が交差している部分は、直線状に延びる形状を有しており、上記上部傾斜面領域および上記下部傾斜面領域が交差している上記部分は、上記吸液口の外縁のうちの最も下方側に位置する部分に対して接線となる位置において直線状に延びるように設けられているか、もしくは、上記吸液口よりも上記ノズル孔に近い側の位置において直線状に延びるように設けられている。
【００２０】
好ましくは、上記上部傾斜面領域の傾斜角度は、２０°以上４５°以下である。
【００２２】
好ましくは、上記吸上経路形成体のうち上記吸液口と上記ノズル孔との間に位置する領域は、上記吸上経路形成体の当該領域以外の領域よりも親水性に富んでいる。
【００２３】
本発明に基づくネブライザは、圧縮空気を送り出すコンプレッサーを有する本体と、上記コンプレッサーから送り出される圧縮空気が導入される圧縮空気管部と、上記圧縮空気管部の一端が連結され、エアロゾルを生成する本発明に基づく上記のネブライザキットと、を備える。
【発明の効果】
【００２４】
本発明によれば、エアロゾルが生成される際、圧縮空気の圧力が損失することを低減することが可能なネブライザキットおよびネブライザを得ることができる。
【図面の簡単な説明】
【００２５】
【図１】実施の形態１におけるネブライザを示す斜視図である。
【図２】実施の形態１におけるネブライザキットを示す斜視図である。
【図３】実施の形態１におけるネブライザキットの分解した状態を示す斜視図である。
【図４】実施の形態１におけるネブライザキットの分解した状態を示す断面図である。
【図５】図２におけるＶ−Ｖ線に沿った矢視断面図である。
【図６】実施の形態１におけるネブライザキットに用いられる吸上経路形成体を示す第１斜視図である。
【図７】図６におけるＶＩＩ−ＶＩＩ線に沿った矢視断面斜視図であり、実施の形態１におけるネブライザキットに用いられる吸上経路形成体を示す第１断面斜視図である。
【図８】実施の形態１におけるネブライザキットに用いられる吸上経路形成体を示す第２斜視図である。
【図９】図８におけるＩＸ−ＩＸ線に沿った矢視断面斜視図であり、実施の形態１におけるネブライザキットに用いられる吸上経路形成体を示す第２断面斜視図である。
【図１０】実施の形態１におけるネブライザキットに用いられる吸上経路形成体がケース体の内部に収容および配置された状態を示す断面斜視図である。
【図１１】図１０におけるＸＩ−ＸＩ線に沿った矢視断面図である。
【図１２】実施の形態１におけるネブライザキットに用いられる粒子選別部を示す斜視図である。
【図１３】実施の形態１におけるネブライザキットによってエアロゾルが形成される際の霧化部およびその近傍を示す断面図である。
【図１４】実施の形態１におけるネブライザキットによってエアロゾルが形成される際のネブライザキットの全体の様子を示す断面図である。
【図１５】実施の形態２におけるネブライザキットの霧化部およびその近傍を示す断面図である。
【図１６】実施の形態３におけるネブライザキットの霧化部およびその近傍を示す断面図である。
【図１７】実施の形態４におけるネブライザキットの霧化部およびその近傍を示す斜視図である。
【図１８】実施の形態５におけるネブライザキットの霧化部およびその近傍を示す斜視図である。
【図１９】実施の形態６におけるネブライザキットの霧化部およびその近傍を示す斜視図である。
【図２０】実施の形態７におけるネブライザキットの霧化部およびその近傍を示す断面図である。
【図２１】実施の形態８におけるネブライザキットの霧化部およびその近傍を示す斜視図である。
【図２２】実施の形態９におけるネブライザキットの霧化部およびその近傍を示す斜視図である。
【図２３】実施の形態１０におけるネブライザキットに用いられる吸上経路形成体を示す斜視図である。
【図２４】実施の形態１０におけるネブライザキットの霧化部およびその近傍を示す断面図である。
【図２５】実施の形態１１におけるネブライザキットの霧化部およびその近傍を示す斜視図である。
【図２６】実施の形態１１におけるネブライザキットの吸上経路形成体がケース体（圧縮空気導入管）に取り付けられる際の様子を示す斜視図である。
【図２７】実施の形態１２におけるネブライザキットの霧化部およびその近傍を示す斜視図である。
【図２８】図２７におけるＸＸＶＩＩＩ−ＸＸＶＩＩＩ線に沿った矢視断面図である。
【図２９】実施の形態１２におけるネブライザキットの霧化部においてエアロゾルが生成される際の様子を模式的に示す断面図である。
【図３０】実施の形態１３におけるネブライザキットの霧化部およびその近傍を示す斜視図である。
【図３１】図３０における矢印ＸＸＸＩ方向からみた平面図である。
【図３２】図３０におけるＸＸＸＩＩ−ＸＸＸＩＩ線に沿った矢視断面図である。
【図３３】実施の形態１４におけるネブライザキットの霧化部およびその近傍を示す斜視図である。
【図３４】図３３におけるＸＸＸＩＶ−ＸＸＸＩＶ線に沿った矢視断面図である。
【図３５】実施の形態１５におけるネブライザキットの霧化部およびその近傍を示す斜視図である。
【図３６】図３５におけるＸＸＸＶＩ−ＸＸＸＶＩ線に沿った矢視断面図である。
【図３７】実施の形態１６におけるネブライザキットに用いられる粒子選別部を示す斜視図である。
【図３８】実施の形態１６におけるネブライザキットに用いられる粒子選別部を示す断面斜視図である。
【図３９】実施の形態１７におけるネブライザキットに用いられる粒子選別部および流路形成体の分解された状態を示す斜視図である。
【図４０】図３９におけるＸＬ−ＸＬ線に沿った矢視断面図である。
【図４１】実施の形態１８におけるネブライザキットに用いられる粒子選別部および流路形成体の分解された状態を示す斜視図である。
【図４２】実施の形態１９におけるネブライザキットに用いられる粒子選別部および流路形成体の分解された状態を示す斜視図である。
【図４３】実施の形態２０におけるネブライザキットに用いられる粒子選別部および流路形成体の分解された状態を示す斜視図である。
【図４４】実施の形態２１におけるネブライザキットに用いられる粒子選別部および流路形成体の分解された状態を示す斜視図である。
【図４５】実施の形態２２におけるネブライザキットを示す斜視図である。
【図４６】実施の形態２２におけるネブライザキットの分解した状態を示す斜視図である。
【図４７】実施の形態２２におけるネブライザキットに用いられるケース体および吸上経路形成体を示す断面斜視図である。
【図４８】実施の形態２２におけるネブライザキットに用いられる流路形成体の上方筒状部を示す斜視図である。
【図４９】実施の形態２２におけるネブライザキットに用いられる粒子選別部が流路形成体の上方筒状部に固定される際の様子を示す断面斜視図である。
【図５０】実施の形態２２におけるネブライザキットに用いられる粒子選別部が流路形成体の下方筒状部に固定される際の様子を示す断面斜視図である。
【図５１】実施の形態２２におけるネブライザキットの動作を示す斜視図である。
【図５２】実施の形態２２におけるネブライザキットに用いられる粒子選別部および流路形成体を示す第１平面図である。
【図５３】実施の形態２２におけるネブライザキットに用いられる粒子選別部および流路形成体を示す第２平面図である。
【図５４】実施の形態２２におけるネブライザキットに用いられる粒子選別部および流路形成体を示す第３平面図である。
【図５５】実施の形態２３におけるネブライザキットに用いられる粒子選別部および流路形成体の分解した状態を示す斜視図である。
【図５６】実施の形態２３におけるネブライザキットに用いられる粒子選別部を示す断面斜視図である。
【図５７】実施の形態２４におけるネブライザキットに用いられる粒子選別部および流路形成体の分解した状態を示す斜視図である。
【図５８】実施の形態２５におけるネブライザキットに用いられる粒子選別部および流路形成体の分解した状態を示す斜視図である。
【図５９】実施の形態２５におけるネブライザキットに用いられる粒子選別部を示す断面斜視図である。
【図６０】一般的なネブライザキットを示す断面図である。
【図６１】一般的なネブライザキットにおける霧化部を拡大して示す断面図である。
【図６２】一般的なネブライザキットにおける霧化部をさらに拡大して示す断面図である。
【発明を実施するための形態】
【００２６】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００２７】
［実施の形態１］
（ネブライザ２０００）
図１を参照して、本実施の形態におけるネブライザ２０００について説明する。ネブライザ２０００は、本体５１０、チューブ５１２（圧縮空気管部）、ネブライザキット１０００、およびマウスピース５００を備える。本体５１０は、圧縮空気を送り出すコンプレッサー、および電子部品等を内蔵している。チューブ５１２は、可撓性を有する。チューブ５１２の一端は、本体５１０に設けられた圧縮空気送風口５１１に連結される。チューブ５１２の他端は、ネブライザキット１０００に連結される。
【００２８】
マウスピース５００は、ネブライザキット１０００のエアロゾル排出口４２０（図２参照）に取り付けられる。マウスピース５００は、使用者による鼻または口への吸引に供される。マウスピース５００は、たとえば、図１に示すように管状に形成される。マウスピース５００は、マスク状に形成されてもよい。マウスピース５００は、いわゆるディスポーザブルタイプであり、衛生面の観点から使用後には廃棄される。
【００２９】
ネブライザキット１０００が使用される際には、図１に示すように、ネブライザキット１０００の長手方向が鉛直方向に対して略平行となるように使用者によってネブライザキット１０００が保持される。ネブライザキット１０００における上方および下方とは、この使用状態（ネブライザキット１０００が使用される際の基本姿勢）において、ネブライザキット１０００から見て鉛直方向における上方および鉛直方向の下方にそれぞれ相当している。
【００３０】
（ネブライザキット１０００）
図２は、ネブライザキット１０００を示す斜視図である。図３は、ネブライザキット１０００の分解した状態を示す斜視図である。図４は、ネブライザキット１０００の分解した状態を示す断面図である。図５は、図２中におけるＶ−Ｖ線に沿った矢視断面図である。図２〜図５を参照して、ネブライザキット１０００は、ケース体１００、吸上経路形成体２００（図３〜図５参照）、粒子選別部３００（図３〜図５参照）、および、流路形成体４００を備える。
【００３１】
（ケース体１００）
図４を主として参照して、ケース体１００は、筒状部１１０、開口部１０２（上方開口）、圧縮空気導入管１１３、および液体貯留部１１６を含み、全体として有底筒状に構成される。筒状部１１０は、下方側が液体貯留部１１６によって閉塞され、開口部１０２が設けられる上方側は開放される。筒状部１１０の開口部１０２の近傍には、嵌合孔部１８０が設けられる。流路形成体４００がケース体１００に取り付けられた状態においては、嵌合孔部１８０は、流路形成体４００の嵌合凸部４８０と互いに嵌合する（図２，図３，図５参照）。
【００３２】
圧縮空気導入管１１３は、筒状部１１０の中央下方から上方に向かってテーパー状に縮径するように延在する。圧縮空気導入管１１３の上部先端部１１３ａには、ノズル孔１１５が設けられる。ノズル孔１１５は、上部先端部１１３ａの先端表面１１３ｓの略中心を貫通している。
【００３３】
圧縮空気導入管１１３の下部先端部に、チューブ５１２（図１参照）が取り付けられる。ネブライザ２０００の本体５１０（図１参照）に内蔵されるコンプレッサーは、圧縮空気送風口５１１（図１参照）およびチューブ５１２（図１参照）を通して、圧縮空気導入管１１３の内部に圧縮空気を導入する。圧縮空気導入管１１３の内部に導入された圧縮空気は、ノズル孔１１５からケース体１００の内部に向かって噴出される。
【００３４】
液体貯留部１１６は、圧縮空気導入管１１３の下方側において、圧縮空気導入管１１３の外周面１１３ｂを取り囲むように設けられる。液体貯留部１１６は、水、食塩水、気管支等の疾患を治癒させるための薬液、または、ワクチンといった液体Ｗを一時的に貯留する。
【００３５】
（吸上経路形成体２００）
図６は、吸上経路形成体２００を示す第１斜視図であり、斜め上方から見た吸上経路形成体２００の全体構成を示している。図７は、図６におけるＶＩＩ−ＶＩＩ線に沿った矢視断面斜視図であり、吸上経路形成体２００を示す第１斜視断面図である。図７は、斜め上方から見た吸上経路形成体２００の内部構造を示している。図８は、吸上経路形成体２００を示す第２斜視図であり、斜め下方から見た吸上経路形成体２００の全体構成を示している。図９は、図８におけるＩＸ−ＩＸ線に沿った矢視断面斜視図であり、吸上経路形成体２００を示す第２断面図である。図９は、斜め下方から見た吸上経路形成体２００の内部構造を示している。
【００３６】
図６〜図９を参照して、吸上経路形成体２００は、筒状部２１０、吸上経路形成部２２０（図７〜図９参照）、開口部２３０（図６，図７参照）、開口部２３５（図８，図９参照）、吸液口２４０、および板状把持部２５０を備える。
【００３７】
筒状部２１０は、上方に向かってテーパー状に縮径する円筒状に形成される。筒状部２１０の頂部に、開口部２３０が形成される。筒状部２１０の底部に、開口部２３５が形成される。筒状部２１０の内周面２１０ａの形状は、ケース体１００（図５参照）に設けられる圧縮空気導入管１１３の外周面１１３ｂの形状に対応している。
【００３８】
筒状部２１０の上端表面２３２上には、半割の円柱状に形成される膨出部２４１が設けられる。膨出部２４１の端面２４２上には、円柱状に突出する吸液口形成体２４３が設けられる。吸液口形成体２４３は、端面２４２に対して垂直な方向に突出する。板状把持部２５０は、筒状部２１０の外表面から筒状部２１０の法線方向外側に向かって延在するように設けられる。板状把持部２５０は、プレート部２５１および凸部２５２を含む。凸部２５２は、プレート部２５１の上方においてプレート部２５１と一体的に設けられ、膨出部２４１の頂部表面の高さ位置よりもさらに上方に向かって突出している。
【００３９】
吸上経路形成部２２０は、全体として略Ｌ字状に形成される。吸上経路形成部２２０は、筒状部２１０の内周面２１０ａ上において開口部２３５側から開口部２３０側に向かって略直線状に延在するように凹設されるとともに、膨出部２４１および吸液口形成体２４３の内部を貫通するように設けられる。
【００４０】
吸液口形成体２４３を貫通する吸上経路形成部２２０の延在方向における先端は、吸液口形成体２４３の表面に到達している。吸液口形成体２４３の表面に到達している吸上経路形成部２２０の先端部分に、吸液口２４０が形成される。吸液口２４０の直径は、たとえば、０．４５ｍｍ以上０．５ｍｍ以下である。
【００４１】
図１０は、吸上経路形成体２００がケース体１００の内部に収容および配置された状態を示す断面斜視図である。図１１は、図１０におけるＸＩ−ＸＩ線に沿った矢視断面図である。
【００４２】
図１０および図１１に示すように、吸上経路形成体２００は、圧縮空気導入管１１３の外周面１１３ｂが筒状部２１０によって覆い被されるように、ケース体１００の内部に収容および配置される。吸上経路形成体２００がケース体１００の内部に収容および配置された状態では、吸上経路形成体２００の開口部２３０から、圧縮空気導入管１１３の上部先端部１１３ａが露出している。
【００４３】
図１１に示すように、ノズル孔１１５および吸液口２４０は、ノズル孔１１５の中心線と吸液口２４０の中心線とが互いに略直交するように配置される。筒状部２１０の内周面２１０ａと圧縮空気導入管１１３の外周面１１３ｂとは、筒状部２１０の内周面２１０ａに吸上経路形成部２２０が設けられている部分を除いて、互いに略密着している。
【００４４】
吸上経路形成部２２０と圧縮空気導入管１１３の外周面１１３ｂとの間には、吸上経路２２１（第１吸上経路）が形成される。吸上経路２２１は、圧縮空気導入管１１３の外周面１１３ｂに沿って、液体貯留部１１６（図１０参照）側からノズル孔１１５側に向かって上方向に延在する。
【００４５】
吸上経路２２１の上方側の先端に連続するように、吸上経路２２２（第２吸上経路）が形成される。本実施の形態においては、吸上経路２２２は吸上経路２２１の先端に対して直交する方向に延在する。吸上経路２２２は、圧縮空気導入管１１３の先端側において、吸上経路２２１の先端からノズル孔１１５側に向かって、ノズル孔１１５の中心軸方向に対して略直交する方向に延在する。吸上経路２２２の先端部分に、吸液口２４０が形成される。本実施の形態においては、吸液口２４０は、ノズル孔１１５には重なっておらず、ノズル孔１１５に対してわずかに後退した位置に配置される。
【００４６】
（粒子選別部３００）
図１２は、粒子選別部３００を示す斜視図である。粒子選別部３００は、全体としては、下方側から上方側に向かって縮径しつつ延在する略筒状に構成される。粒子選別部３００は、下方筒状部３１０、上方筒状部３２０、中心軸部３３０、および４つの羽根部３４０を備える。下方筒状部３１０は、上方筒状部３２０と同軸状に配置される。下方筒状部３１０の直径は、上方筒状部３２０の直径よりも大きい。
【００４７】
４枚の羽根部３４０は、上方筒状部３２０の中心に位置する中心軸部３３０と上方筒状部３２０の内周面との間に設けられる。４枚の羽根部３４０の各々は、互いに略同形状の板状に形成される。４枚の羽根部３４０の各々は、互いに９０°の間隔を空けて離れるように配置される。４枚の羽根部３４０の各々は、上方筒状部３２０の下方側から上方筒状部３２０の上方側に向かって旋回しつつ湾曲する。４枚の羽根部３４０は、全体としていわゆるスクリュー状に配置される。４枚の羽根部３４０の各々は、霧化部Ｍとエアロゾル排出口４２０との間の空間を扇状に遮蔽する。
【００４８】
図４および図５を再び参照して、粒子選別部３００は、ケース体１００の内部に配置された吸上経路形成体２００の上方に配置される。粒子選別部３００の下端は、吸上経路形成体２００の凸部２５２の上端に当接する。粒子選別部３００の上方筒状部３２０は、次述する流路形成体４００の中央筒状部４１２の内側に固定される（図５参照）。
【００４９】
ケース体１００に対して流路形成体４００が固定されることによって、粒子選別部３００が位置決めされる。位置決めされた粒子選別部３００の下端と吸上経路形成体２００の凸部２５２の上端とが互いに当接することによって、吸上経路形成体２００はケース体１００に対して固定される。当該固定によって、吸上経路形成体２００のケース体１００に対する上下方向の移動は規制される。
【００５０】
（流路形成体４００）
図３〜図５を再び参照して、流路形成体４００は、ケース体１００の開口部１０２を覆うようにケース体１００に取り付けられる。流路形成体４００は、下方筒状部４１０、中央筒状部４１２、上方筒状部４１４、エアロゾル排出口４２０、外気導入口４３０、および嵌合凸部４８０を備える。
【００５１】
下方筒状部４１０、中央筒状部４１２、および上方筒状部４１４は、互いに同軸状に配置される。中央筒状部４１２の直径は、上方筒状部４１４の直径よりも大きい。下方筒状部４１０の直径は、中央筒状部４１２の直径よりも大きい。流路形成体４００は、全体としては、下方側から上方側に向かって縮径しつつ延在する略筒状に構成される。
【００５２】
エアロゾル排出口４２０は、上方筒状部４１４の内側に形成される。外気導入口４３０は、下方筒状部４１０と中央筒状部４１２とが互いに接続される部分に設けられる（図３参照）。嵌合凸部４８０は、下方筒状部４１０の下端近傍に設けられる。上述のとおり、流路形成体４００がケース体１００に取り付けられた状態においては、嵌合凸部４８０は、ケース体１００の嵌合孔部１８０と互いに嵌合する（図２，図３，図５参照）。粒子選別部３００の上方筒状部３２０は、中央筒状部４１２の内側に固定される（図５参照）。
【００５３】
（ネブライザキット１０００の動作）
図１３および図１４を参照して、ネブライザキット１０００の動作について説明する。図１３は、ネブライザキット１０００（図２等参照）によってエアロゾルが形成される際の霧化部Ｍおよびその近傍を示す断面図である。図１４は、ネブライザキット１０００によってエアロゾルが形成される際のネブライザキット１０００の全体の様子を示す断面図である。
【００５４】
図１３に示すように、霧化部Ｍは、圧縮空気導入管１１３に設けられたノズル孔１１５の出口領域Ｒ１１５（圧縮空気導入管１１３に設けられたノズル孔１１５の中心軸と吸上経路形成体２００に設けられた吸液口２４０の中心軸とが交差する領域）およびその近傍に形成される。
【００５５】
圧縮空気導入管１１３の内部に導入された圧縮空気は、上部先端部１１３ａに設けられたノズル孔１１５を通して噴き出される（矢印ＡＲ１１３参照）。圧縮空気がノズル孔１１５から出口領域Ｒ１１５に向かって噴き出されることによって、霧化部Ｍおよびその近傍には、周囲の圧力よりも低い状態である負圧が発生する。
【００５６】
霧化部Ｍおよびその近傍において発生する負圧の作用によって、液体貯留部１１６（図１４参照）から霧化部Ｍの近傍にまで、吸上経路２２１および吸上経路２２２を通して液体Ｗ（図１４参照）が吸い上げられる（図１３中の矢印ＡＲ２２０参照）。液体Ｗは、吸液口２４０から霧化部Ｍ側に向かって徐々に吐出される。吸液口２４０から吐出された少量の液体Ｗは、霧化部Ｍにおいて矢印ＡＲ１１３方向に流れる圧縮空気との衝突によって粉砕され、霧状粒子（微細な液滴）（図示せず）に変化する。
【００５７】
図１４を参照して、この霧状粒子は、外気導入口４３０を通してケース体１００の内部に導入された外気（矢印ＡＲ４３０参照）に付加される。霧化部Ｍにおいて、エアロゾルが生成される。エアロゾルは、粒子選別部３００の内部を通してエアロゾル排出口４２０に向かって移動する。
【００５８】
本実施の形態においては、霧化部Ｍとエアロゾル排出口４２０との間に、粒子選別部３００の羽根部３４０が配置されている。霧化部Ｍからエアロゾル排出口４２０に向かって移動するエアロゾルのうち粒子径の大きなものは（たとえば１０μｍ以上）、羽根部３４０の表面に付着する。羽根部３４０によって選別された所望の粒子径（たとえば２μｍ以上１０μｍ未満）を有するエアロゾルは、エアロゾル排出口４２０を通して外部に排出される。エアロゾルは、マウスピース５００（図１参照）を通して、使用者の鼻または口に吸引される。
【００５９】
（作用・効果）
ネブライザキット１０００においてエアロゾルが生成される際、ノズル孔１１５から噴き出された圧縮空気は、そのまま直線状に流れつつ（図１３，図１４における矢印ＡＲ１１３参照）、吸液口２４０から吐出された液体Ｗに接触する。ノズル孔１１５から噴き出された圧縮空気は、冒頭に説明したネブライザキット１０００Ｚ（図６０〜図６２参照）とは異なり、他の部材に接触したり、大きく旋回したりすることなく、エアロゾルの生成に供される。圧縮空気導入管１１３に導入される圧縮空気としては、エアロゾルを生成する際に、圧力を損失することがほとんどない。
【００６０】
ネブライザキット１０００およびネブライザキット１０００Ｚにおいて同一の噴霧量を有するエアロゾルを生成する場合、ネブライザキット１０００においては、ネブライザキット１０００Ｚに比べて小さな流量を有する圧縮空気が準備されればよい。ネブライザキット１０００においては、エアロゾルを生成する上での圧縮空気の利用効率が高いため、ネブライザキット１０００Ｚに比べて容量（流量）が小さく、且つ、大きさも小さいコンプレッサーを用いることができる。したがって、ネブライザキット１０００は、安価に製造されることができるだけでなく、エアロゾルの生成に必要な消費エネルギーの量も小さくすることが可能となる。
【００６１】
ネブライザキット１０００においては、個々の部品を分解することによって個々の部品を容易に洗浄することも可能である。ネブライザキット１０００においては、吸上経路形成体２００に板状把持部２５０が設けられる。洗浄の際、板状把持部２５０を利用することによって、吸上経路形成体２００が紛失することも防止される。
【００６２】
吸上経路形成体２００においては、吸上経路２２２が延在している方向および吸液口２４０の設けられている位置が、板状把持部２５０が延在している方向に対して反対側である。霧化部Ｍにおいて生成されたエアロゾルの噴霧は、板状把持部２５０によって阻害されることもない。
【００６３】
ネブライザキット１０００においては、粒子選別部３００の下端は、吸上経路形成体２００の凸部２５２の上端に当接する（図５参照）。吸上経路形成体２００は、ケース体１００に対する上下方向の移動が固定される（位置決めされる）。吸上経路形成体２００がノズル孔１１５から噴き出された圧縮空気によって押し上げられてしまうことは、確実に防止される。エアロゾルは、霧化部Ｍにおいて連続的に生成されることが可能となる。
【００６４】
ネブライザキット１０００においては、吸上経路形成体２００がケース体１００に対して回転方向には固定されておらず、吸上経路形成体２００がケース体１００に対して圧縮空気導入管１１３の周りで自由に回転可能となるように構成されてもよい。この場合、ネブライザキット１０００が傾けられた場合、吸上経路形成体２００は、板状把持部２５０の自重にしたがって、板状把持部２５０が重力方向の最下方に位置するように回転する。吸上経路２２１の下端は、常に液体貯留部１１６内に貯留された液体Ｗの内部に浸漬されることが可能となる。ネブライザキット１０００が傾けられた場合であっても、吸上経路２２１は、継続的に液体Ｗを吸い上げることが可能となる。
【００６５】
上述のとおり、粒子選別部３００は、流路形成体４００（中央筒状部４１２）に固定される。流路形成体４００をケース体１００から取り外した際、粒子選別部３００も流路形成体４００と合わせて取り外される。ネブライザキット１０００における粒子選別部３００および流路形成体４００は、分解および洗浄の際における利便性が高い。
【００６６】
粒子選別部３００においては、羽根部３４０が上方筒状部３２０の内側に設けられる。羽根部３４０は、粒子選別部３００の長手方向における一方寄り（端部）に位置している。羽根部３４０は、容易に洗浄されることができる。また、粒子選別部３００は、下方筒状部３１０から上方筒状部３２０に向かうにつれて縮径している。粒子選別部３００は、効果的に粒子を選別することができる。粒子選別部３００は、エアロゾルの粒子を粒径に応じて選別することを主な目的としているが、粒子選別部３００を用いなくても必要な粒径を有する粒子が得られる場合もある。この場合、粒子選別部３００が取り外された状態で、ネブライザキット１０００が使用されるとよい。たとえば、１５μｍの粒径を有する粒子（エアロゾル）が必要とされる場合に、霧化部Ｍにおいて１５μｍの粒径を有する粒子（エアロゾル）が生成される場合には、粒子選別部３００が取り外された状態でネブライザキット１０００が使用されるとよい。
【００６７】
［実施の形態２］
図１５を参照して、本実施の形態について説明する。本実施の形態におけるネブライザキットは、上述の実施の形態１における吸上経路形成体２００（図１３等参照）の代わりに、吸上経路形成体２００Ａを備える。
【００６８】
上述のとおり、吸上経路形成体２００（図１３等参照）における吸液口２４０は、ノズル孔１１５には重なっておらず、ノズル孔１１５に対してわずかに後退した位置に配置される。一方、吸上経路形成体２００Ａにおいては、吸液口２４０からノズル孔１１５を見た場合に、ノズル孔１１５の開口領域上に吸液口２４０が位置している。
【００６９】
吸液口２４０の位置は、吸上経路形成体２００（図１３等参照）に比べて、吸上経路形成体２００Ａの方がノズル孔１１５に近い。吸上経路形成体２００（図１３等参照）に比べて、吸上経路形成体２００Ａの方が、霧化部Ｍにおいて負圧が発生しやすい。したがって、吸上経路形成体２００（図１３等参照）に比べて、吸上経路形成体２００Ａの方が、圧縮空気導入管１１３に導入される圧縮空気の風量を少なくすることが可能となる。
【００７０】
ノズル孔１１５が円形に形成される場合（換言すると、ノズル孔１１５が円柱状の空間から形成される場合）、ノズル孔１１５の中心線１１５ｃが、吸液口２４０を含む面状に位置していてもよい。この場合、吸液口形成体２４３の先端部２４３Ｔとノズル孔１１５の中心線１１５ｃとが同一平面上に位置する。
【００７１】
吸液口２４０のノズル孔１１５に対する位置（吸液口２４０とノズル孔１１５との間の距離）は、霧化部Ｍにおいてエアロゾルがより効率的に生成されるように、圧縮空気導入管１１３に導入される圧縮空気の風量等に応じて最適化されるとよい。実験結果によれば、圧縮空気の量が比較的大きい場合、ノズル孔１１５が半分より多く露出している方が、より多くのエアロゾルが噴霧される。一方、圧縮空気の量が比較的小さい場合、ノズル孔１１５がちょうど半分くらい露出している方が、より多くのエアロゾルが噴霧される。
【００７２】
［実施の形態３］
図１６を参照して、本実施の形態について説明する。本実施の形態におけるネブライザキットは、上述の実施の形態２における吸上経路形成体２００Ａ（図１５等参照）の代わりに、吸上経路形成体２００Ｂを備える。
【００７３】
吸上経路形成体２００Ｂにおいては、吸上経路２２１と吸上経路２２２とが交差する領域（交差領域）に、吸上経路２２２よりも流路断面積が大きい液溜まり部２６０が設けられる。
【００７４】
負圧の作用によって吸上げられた液体Ｗは、吸上経路２２１を通過した後、液溜まり部２６０に到達する。液体Ｗは、液溜まり部２６０において一旦溜められた後、吸上経路２２２を通して吸液口２４０から吐出される。液溜まり部２６０が設けられることによって、液体Ｗは、途切れることなく連続的に安定して吸液口２４０から吐出されることが可能となる。
【００７５】
［実施の形態４］
図１７を参照して、本実施の形態について説明する。本実施の形態におけるネブライザキットは、上述の実施の形態１における吸上経路形成体２００（図１０等参照）の代わりに、吸上経路形成体２００Ｃを備える。
【００７６】
吸上経路形成体２００Ｃにおいては、吸液口２４０が、長円形状に形成される。吸液口２４０は、圧縮空気導入管１１３の先端表面１１３ｓに対して平行な方向（横方向）に延在する開口形状である。吸液口２４０の開口形状は、ノズル孔１１５の中心軸に対して直角に交差するように形成されていてもよい。
【００７７】
負圧の作用によって吸上げられた液体Ｗは、吸液口２４０から吐出される。吸液口２４０から吐出される液体Ｗは、横方向に広がることによって薄い液膜を形成した状態で、ノズル孔１１５から噴き出される圧縮空気に接触する。
【００７８】
ノズル孔１１５から噴き出される圧縮空気には、液膜状となった微量の液体Ｗが徐々に接触する。液体Ｗは、ノズル孔１１５から噴き出される圧縮空気によって粉砕されやすくなるため、噴霧効率の向上が図れる。
【００７９】
［実施の形態５］
図１８を参照して、本実施の形態について説明する。本実施の形態におけるネブライザキットは、上述の実施の形態１における吸上経路形成体２００（図１０等参照）の代わりに、吸上経路形成体２００Ｄを備える。
【００８０】
吸上経路形成体２００Ｄにおいては、吸液口２４０が、複数設けられる。複数の吸液口２４０は、圧縮空気導入管１１３の先端表面１１３ｓに対して平行な方向（横方向）に並ぶように配列されている。複数の吸液口２４０は、ノズル孔１１５の中心軸に対して直角に交差するように配列されていてもよい。
【００８１】
負圧の作用によって吸上げられた液体Ｗは、複数の吸液口２４０の各々から吐出される。１つ１つの吸液口２４０から吐出される液体Ｗの量は、上述の実施の形態１における吸上経路形成体２００の場合よりも少なくなる。１つ１つの吸液口２４０から吐出された微量の液体Ｗは、ノズル孔１１５から噴き出される圧縮空気に接触する。
【００８２】
ノズル孔１１５から噴き出される圧縮空気には、１つ１つの吸液口２４０から吐出された微量の液体Ｗが徐々に接触する。液体Ｗは、ノズル孔１１５から噴き出される圧縮空気によって粉砕されやすくなるため、噴霧効率の向上が図れる。
【００８３】
［実施の形態６］
図１９を参照して、本実施の形態について説明する。本実施の形態におけるネブライザキットは、上述の実施の形態１における吸上経路形成体２００（図１０等参照）の代わりに、吸上経路形成体２００Ｅを備える。
【００８４】
吸上経路形成体２００Ｅにおいては、吸液口２４０が、Ｗ字状に形成される。負圧の作用によって吸上げられた液体Ｗは、吸液口２４０の下端の狭い部分から徐々に吐出される。吸液口２４０から吐出される液体Ｗの量は、上述の実施の形態１における吸上経路形成体２００の場合よりも少なくなる。吸液口２４０から吐出された微量の液体Ｗは、ノズル孔１１５から噴き出される圧縮空気に接触する。
【００８５】
ノズル孔１１５から噴き出される圧縮空気には、吸液口２４０から吐出された微量の液体Ｗが徐々に接触する。液体Ｗは、ノズル孔１１５から噴き出される圧縮空気によって粉砕されやすくなるため、噴霧効率の向上が図れる。吸液口２４０がＶ字状に形成されたり、Ｍ字状に形成されたりする場合にも、本実施の形態と同様の作用および効果を得ることができる。
【００８６】
［実施の形態７］
図２０を参照して、本実施の形態について説明する。本実施の形態におけるネブライザキットは、上述の実施の形態３におけるケース体１００（図１６等参照）の代わりに、ケース体１００Ａを備える。以下に述べるケース体１００Ａの構成は、上述の実施の形態１（図１０参照）、実施の形態２（図１５参照）、実施の形態４（図１７参照）、実施の形態５（図１８参照）、および実施の形態６（図１９参照）にも適用されることができる。
【００８７】
ケース体１００Ａにおいては、円筒形状の内周面によって規定されるノズル孔１１５が、外側に向かって拡径するテーパー面から構成される。ノズル孔１１５の直径は、圧縮空気の通流方向に沿って徐々に大きくなる。圧縮空気導入管１１３に導入された圧縮空気がノズル孔１１５を通過する際、圧縮空気の圧力の損失が低減される。エアロゾルを生成する上での圧縮空気の利用効率が高くなるため、容量（流量）がより小さく、且つ、大きさもより小さいコンプレッサーを用いることが可能となる。
【００８８】
［実施の形態８］
図２１を参照して、本実施の形態について説明する。本実施の形態におけるネブライザキットは、上述の実施の形態１におけるケース体１００（図１０等参照）の代わりに、ケース体１００Ｂを備える。以下に述べるケース体１００Ｂの構成は、上述の実施の形態２（図１５参照）、実施の形態３（図１６参照）、実施の形態４（図１７参照）、実施の形態５（図１８参照）、および実施の形態６（図１９参照）にも適用されることができる。
【００８９】
ケース体１００Ｂにおいては、ノズル孔１１５が、長円形状に形成される。ノズル孔１１５は、吸液口２４０（図１１における吸上経路２２２）の中心軸方向に対して直交する方向（横方向）に延在する開口形状である。圧縮空気は、横方向に広がることによって板状（直方体状）にノズル孔１１５から噴き出される。
【００９０】
負圧の作用によって吸上げられた液体Ｗは、吸液口２４０から吐出される。吸液口２４０から吐出される液体Ｗは、略直方体状に噴き出される圧縮空気に接触する。液体Ｗは、広範にわたって圧縮空気に接触する。液体Ｗは、ノズル孔１１５から噴き出される圧縮空気によって粉砕されやすくなるため、噴霧効率の向上が図れる。
【００９１】
［実施の形態９］
図２２を参照して、本実施の形態について説明する。本実施の形態におけるネブライザキットは、上述の実施の形態１におけるケース体１００（図１０等参照）の代わりに、ケース体１００Ｃを備える。以下に述べるケース体１００Ｃの構成は、上述の実施の形態２（図１５参照）、実施の形態３（図１６参照）、実施の形態４（図１７参照）、実施の形態５（図１８参照）、および実施の形態６（図１９参照）にも適用されることができる。
【００９２】
ケース体１００Ｃにおいては、ノズル孔１１５が、複数設けられる。複数のノズル孔１１５は、吸液口２４０（図１１における吸上経路２２２）の中心軸方向に対して直交する方向（横方向）に並ぶように配列されている。
【００９３】
負圧の作用によって吸上げられた液体Ｗは、吸液口２４０から吐出される。吸液口２４０から吐出される液体Ｗは、複数のノズル孔１１５の各々から噴き出される圧縮空気に接触する。液体Ｗは、広範にわたって圧縮空気に接触する。液体Ｗは、ノズル孔１１５から噴き出される圧縮空気によって粉砕されやすくなるため、噴霧効率の向上が図れる。
【００９４】
［実施の形態１０］
図２３および図２４を参照して、本実施の形態について説明する。本実施の形態におけるネブライザキットは、上述の実施の形態１における吸上経路形成体２００（図６，図７等参照）の代わりに、吸上経路形成体２００Ｆを備える。以下に述べる吸上経路形成体２００Ｆの構成は、上述の実施の形態２（図１５参照）、実施の形態３（図１６参照）、実施の形態４（図１７参照）、実施の形態５（図１８参照）、実施の形態６（図１９参照）、実施の形態７（図２０参照）、実施の形態８（図２１参照）、および実施の形態９（図２２参照）にも適用されることができる。
【００９５】
上述の実施の形態１の吸上経路形成体２００（図６，図７等参照）における吸上経路形成部２２０は、筒状部２１０の内周面２１０ａ上において開口部２３５側から開口部２３０側に向かって略直線状に延在するように凹設されるとともに、膨出部２４１および吸液口形成体２４３の内部を貫通するように設けられる。
【００９６】
図２３および図２４に示すように、本実施の形態の吸上経路形成体２００Ｆにおける吸上経路形成部２２０は、全体として溝状に凹設されており、吸液口形成体２４３を貫通するようには構成されない。吸液口形成体２４３は、Ｕ字状に形成される。
【００９７】
吸上経路形成体２００Ｆも、圧縮空気導入管１１３の外周面１１３ｂが筒状部２１０によって覆い被されるように、ケース体１００の内部に収容および配置される。吸上経路２２１は、圧縮空気導入管１１３の外周面１１３ｂに沿って形成される。吸上経路２２２は、圧縮空気導入管１１３の先端表面１１３ｓに沿うように形成される。吸上経路形成体２００Ｆによっても、上述の実施の形態１と同様の作用および効果を得ることができる。
【００９８】
［実施の形態１１］
図２５および図２６を参照して、本実施の形態について説明する。本実施の形態におけるネブライザキットは、上述の実施の形態１における吸上経路形成体２００（図６，図７等参照）の代わりに吸上経路形成体２００Ｇを備え、上述の実施の形態１におけるケース体１００（図１０等参照）の代わりにケース体１００Ｄを備える。
【００９９】
吸上経路形成体２００Ｇにおいては、上述の実施の形態１０の吸上経路形成体２００Ｆ（図２３，図２４参照）と同様に、吸上経路形成部２２０（図２６参照）は、全体として溝状に凹設されており、吸液口形成体２４３を貫通するようには構成されない。吸液口形成体２４３は、Ｕ字状に形成される。
【０１００】
ケース体１００Ｄにおいては、上部先端部１１３ａの先端表面１１３ｓに、凹部１４４を有する台座１４３が設けられる。図２６中の矢印に示すように、吸上経路形成体２００Ｇは、ケース体１００Ｄ（圧縮空気導入管１１３）に取り付けられる。台座１４３は、吸液口形成体２４３の内側２４４に嵌め込まれる。台座１４３の凹部１４４と吸液口形成体２４３の内側２４４とによって、吸液口２４０（図２５参照）が形成される。吸上経路形成体２００Ｇおよびケース体１００Ｄによっても、上述の実施の形態１と同様の作用および効果を得ることができる。
【０１０１】
［実施の形態１２］
図２７〜図２９を参照して、本実施の形態について説明する。図２７は、本実施の形態におけるネブライザキットの霧化部およびその近傍を示す斜視図である。図２８は、図２７におけるＸＸＶＩＩＩ−ＸＸＶＩＩＩ線に沿った矢視断面図である。図２９は、本実施の形態におけるネブライザキットの霧化部においてエアロゾルが生成される際の様子を模式的に示す断面図である。
【０１０２】
本実施の形態におけるネブライザキットは、上述の実施の形態１における吸上経路形成体２００（図６，図７等参照）の代わりに、吸上経路形成体２００Ｈを備える。以下に述べる吸上経路形成体２００Ｈの構成は、上述の実施の形態２（図１５参照）、実施の形態３（図１６参照）、実施の形態４（図１７参照）、実施の形態５（図１８参照）、実施の形態６（図１９参照）、実施の形態７（図２０参照）、実施の形態８（図２１参照）、および実施の形態９（図２２参照）にも適用されることができる。
【０１０３】
図２７および図２８に示すように、吸上経路形成体２００Ｈにおいては、膨出部２４１の端面２４２から突出するように設けられる吸液口形成体２４３の先端面が、傾斜している。吸液口２４０の上方には、上方に向かうにしたがって、吸上経路２２１側に向かうように傾斜する上部傾斜面領域２７０が設けられる。上部傾斜面領域２７０のノズル孔１１５の中心軸に対する傾斜角度αは、たとえば２０°以上４５°以下に設定される。噴霧効率をより向上させるという観点からは、傾斜角度αは、３５°に設定される。
【０１０４】
図２８に示すように、吸液口形成体２４３の先端部２４３Ｔは、ノズル孔１１５の内周端面に沿うように（ノズル孔１１５の外縁に接するように）配置される。図１５を参照して上述した場合と同様（実施の形態２）に、先端部２４３Ｔは、ノズル孔１１５の中心線（図１５における中心線１１５ｃ）と一致するように配置されてもよい。
【０１０５】
図２７および図２８に示すように、膨出部２４１の端面２４２には、２つの膨出部２４６が設けられる。膨出部２４６は、上部先端部１１３ａの両外側から上部先端部１１３ａを挟み込むように配置される。図２８に示すように、本実施の形態においては、膨出部２４６の先端面と、吸液口形成体２４３の先端部２４３Ｔとは、同一平面上に位置している。
【０１０６】
（作用・効果）
図２９を参照して、吸上経路形成体２００Ｈによれば、吸液口２４０の上方に上部傾斜面領域２７０が設けられる。吸液口２４０および上部傾斜面領域２７０は、ノズル孔１１５から噴出された圧縮空気の進行経路（矢印ＡＲ１１３参照）に対して徐々に遠ざかるように傾斜している。吸液口２４０が傾斜して形成されるため（換言すると、吸液口２４０が上方に向かうにつれてノズル孔１１５から次第に離れるように形成されるため）、このような吸液口２４０の傾斜の程度を増減することによって、液体Ｗの供給量を調節することが可能となる。たとえば、吸液口２４０の傾斜の程度を大きくする（傾斜角度αの値を大きくする）ことによって、液体Ｗの供給量を減らして最適な値にすることができる。吸液口２４０の傾斜の程度を最適化することによって、ノズル孔１１５から噴き出される圧縮空気のエネルギーができるだけ多くの割合で液体Ｗの粉砕に使用されるようにすることができる。また、吸液口２４０が傾斜して形成されるため、ノズル孔１１５から噴出された圧縮空気が、吸液口２４０内に入り込むことも確実に抑制される。したがって、吸上経路形成体２００Ｈによれば、液体Ｗを微粒化する上でのエネルギー使用効率をより一層向上させることが可能となる。
【０１０７】
本実施の形態においては、吸液口２４０の下方にも傾斜面２７２が設けられる。上部傾斜面領域２７０、吸液口２４０、および傾斜面２７２は、ノズル孔１１５に向かって同一方向に傾斜している。吸液口２４０から吐出された液体Ｗは、液滴Ｗ１となって傾斜面２７２上を滑り落ちる（矢印ＡＲ２７２参照）。液滴Ｗ１は、滑り落ちる方向の前方側の部分から徐々にノズル孔１１５の上方領域に移動し、その後、圧縮空気に接触する。圧縮空気との接触によって、液滴Ｗ１は、滑り落ちる方向の前方側の部分から粉砕される。
【０１０８】
吸液口２４０の下方に傾斜面２７２が設けられることによって、ノズル孔１１５から噴き出される圧縮空気には、微量の液滴Ｗ１が継続的に供給される。液体Ｗ（液滴Ｗ１）は、ノズル孔１１５から噴き出される圧縮空気によって粉砕されやすくなるため、噴霧効率の向上が図れる。
【０１０９】
液滴Ｗ１の大きさを小さくするために、傾斜面２７２（吸上経路形成体２００のうち吸液口２４０とノズル孔１１５との間に位置する領域）は、吸上経路形成体２００Ｈの傾斜面２７２が設けられる以外の領域よりも親水性に富んでいるとよい。液滴Ｗ１の大きさが小さくなることによって、液滴Ｗ１が粉砕された際、より小さな粒子を得ることが可能となる。傾斜面２７２の親水性を上げるためには、傾斜面２７２に親水性に富む液体を塗布したり、傾斜面２７２に微細な凹凸加工を施したりするとよい。
【０１１０】
吸液口２４０の上方に上部傾斜面領域２７０が設けられることによって、液滴Ｗ１が粉砕されることによって生成されたエアロゾルＷ２の拡散に供されるための空間も大きい。より広い空間（霧化部Ｍ）において、エアロゾルＷ２は生成されることが可能となる。
【０１１１】
上部傾斜面領域２７０のノズル孔１１５の中心軸に対する傾斜角度αは、霧化部Ｍにおいてエアロゾルがより効率的に生成されるように、圧縮空気導入管１１３に導入される圧縮空気の風量等に応じて最適化されるとよい。
【０１１２】
［実施の形態１３］
図３０〜図３２を参照して、本実施の形態について説明する。図３０は、本実施の形態におけるネブライザキットの霧化部およびその近傍を示す斜視図である。図３１は、図３０における矢印ＸＸＸＩ方向からみたケース体１００などを示す平面図である。図３２は、図３０におけるＸＸＸＩＩ−ＸＸＸＩＩ線に沿った矢視断面図である。
【０１１３】
本実施の形態におけるネブライザキットは、上述の実施の形態１２における吸上経路形成体２００Ｈ（図２７等参照）の代わりに、吸上経路形成体２００Ｊを備える。以下に述べる吸上経路形成体２００Ｊの構成は、上述の実施の形態１（図１０参照）、実施の形態２（図１５参照）、実施の形態３（図１６参照）、実施の形態４（図１７参照）、実施の形態５（図１８参照）、実施の形態６（図１９参照）、実施の形態７（図２０参照）、実施の形態８（図２１参照）、および実施の形態９（図２２参照）にも適用されることができる。
【０１１４】
図３０に示すように、吸上経路形成体２００Ｊにおいては、吸液口２４０の下方に、下方に向かうにしたがって、吸上経路２２１（図３２参照）側に向かうように傾斜する下部傾斜面領域２８０が設けられる。下部傾斜面領域２８０の下端部は、ノズル孔１１５の外縁に接するように配置される。
【０１１５】
図３１および図３２に示すように、吸液口形成体２４３の先端部２４３Ｔは、上部傾斜面領域２７０および下部傾斜面領域２８０（図３２参照）が交差する部分に位置する。下部傾斜面領域２８０と吸液口２４０との間に、上述の実施の形態１２における傾斜面２７２（図２９参照）がさらに設けられてもよい。吸液口２４０からノズル孔１１５を見た場合に、吸液口形成体２４３の先端部２４３Ｔは、ノズル孔１１５の中心に位置している。
【０１１６】
吸上経路形成体２００Ｊによれば、ノズル孔１１５から噴き出された圧縮空気は、下部傾斜面領域２８０に沿って進行方向を徐々に変更し、吸液口２４０から遠ざかる方向に広がる。ノズル孔１１５から噴出された圧縮空気が、吸液口２４０内に入り込むことは確実に抑制される。したがって、吸上経路形成体２００Ｊによれば、エアロゾルを生成する際、圧縮空気の利用効率が高い。
【０１１７】
［実施の形態１４］
図３３および図３４を参照して、本実施の形態について説明する。図３３は、本実施の形態におけるネブライザキットの霧化部およびその近傍を示す斜視図である。図３４は、図３３におけるＸＸＸＩＶ−ＸＸＸＩＶ線に沿った矢視断面図である。
【０１１８】
本実施の形態におけるネブライザキットは、上述の実施の形態１３における吸上経路形成体２００Ｊ（図３０等参照）の代わりに、吸上経路形成体２００Ｋを備える。以下に述べる吸上経路形成体２００Ｋの構成は、上述の実施の形態１（図１０参照）、実施の形態２（図１５参照）、実施の形態３（図１６参照）、実施の形態４（図１７参照）、実施の形態５（図１８参照）、実施の形態６（図１９参照）、実施の形態７（図２０参照）、実施の形態８（図２１参照）、および実施の形態９（図２２参照）にも適用されることができる。
【０１１９】
図３３および図３４に示すように、吸上経路形成体２００Ｋにおいては、上部傾斜面領域２７０の表面に凸部２７４が設けられる。凸部２７４は、直方体状である。凸部２７４の上部傾斜面領域２７０からの突出寸法は、約０．２ｍｍである。凸部２７４は、半円球状であってもよい。吸上経路形成体２００Ｋによれば、上部傾斜面領域２７０に凸部２７４が設けられることによって、霧化部Ｍおよびその近傍に発生する負圧の値を高めることが可能となる（換言すると、霧化部Ｍおよびその近傍の圧力は、周囲の圧力に比べて一層低い状態になる）。これにより、エアロゾルの噴霧量を増大させることができる。上述の実施の形態１２においては、上部傾斜面領域２７０のノズル孔１１５の中心軸に対する傾斜角度α（図２８参照）は、たとえば２０°以上４５°以下に設定されると説明した。これに対して、傾斜角度αが４５°より大きい場合（５０°や６０°など）であっても、凸部２７４が設けられることによって、凸部２７４が設けられない場合には負圧不足で吸液困難であったものを、吸液可能にすることができる。また、傾斜角度αが４５°以下に設定される場合であっても、凸部２７４を設けることによってエアロゾルの噴霧量を増大させることが可能となる（コンプレッサーの能力が低い場合に有効である）。
【０１２０】
［実施の形態１５］
図３５および図３６を参照して、本実施の形態について説明する。図３５は、本実施の形態におけるネブライザキットの霧化部およびその近傍を示す斜視図である。図３６は、図３５におけるＸＸＸＶＩ−ＸＸＸＶＩ線に沿った矢視断面図である。
【０１２１】
本実施の形態におけるネブライザキットは、上述の実施の形態１３における吸上経路形成体２００Ｊ（図３０等参照）の代わりに、吸上経路形成体２００Ｌを備える。以下に述べる吸上経路形成体２００Ｌの構成は、上述の実施の形態１（図１０参照）、実施の形態２（図１５参照）、実施の形態３（図１６参照）、実施の形態４（図１７参照）、実施の形態５（図１８参照）、実施の形態６（図１９参照）、実施の形態７（図２０参照）、実施の形態８（図２１参照）、および実施の形態９（図２２参照）にも適用されることができる。
【０１２２】
図３５および図３６に示すように、吸上経路形成体２００Ｌにおいては、吸液口形成体２４３の先端面が、凸面状に湾曲するように形成される。上部傾斜面領域２７０は、凸面状に湾曲するとともに、下部傾斜面領域２８０も、凸面状に湾曲する。
【０１２３】
上部傾斜面領域２７０および下部傾斜面領域２８０が凸面状に形成されることによって、吸液口２４０から吐出された液体Ｗが広範囲にわたって広がりやすくなるとともに、液膜を形成し易くなる。液膜を形成した液体Ｗは、ノズル孔１１５から噴き出される圧縮空気によって粉砕されやすくなるため、噴霧効率の向上が図れる。
【０１２４】
［実施の形態１６］
図３７および図３８を参照して、本実施の形態について説明する。本実施の形態におけるネブライザキットは、上述の実施の形態１における粒子選別部３００（図３等参照）の代わりに、粒子選別部３００Ａを備える。以下に述べる粒子選別部３００Ａの構成は、上述の実施の形態２〜１５にも適用されることができる。
【０１２５】
上述の実施の形態１における粒子選別部３００は、４枚の羽根部３４０の各々が、霧化部Ｍ（図１４等参照）とエアロゾル排出口４２０（図１４等参照）との間の空間を扇状に遮蔽する。本実施の形態における粒子選別部３００Ａは、複数の羽根部３４０Ａを有する。複数の羽根部３４０Ａは、棒状に形成されるとともに、下方筒状部３１０側から上方筒状部３２０側に向かって断面視略三角形状に配置される。複数の羽根部３４０Ａは、互いに対して平行な位置関係にある（図３８参照）。複数の羽根部３４０Ａの各々は、霧化部Ｍとエアロゾル排出口４２０との間の空間を線状に遮蔽する。
【０１２６】
粒子選別部３００Ａが用いられる場合であっても、霧化部Ｍからエアロゾル排出口４２０に向かって移動するエアロゾルのうち粒子径の大きなものは（たとえば１０μｍ以上）、羽根部３４０Ａの表面に付着する。羽根部３４０Ａによって選別された所望の粒子径（たとえば２μｍ以上１０μｍ未満）を有するエアロゾルは、エアロゾル排出口４２０（図３等参照）を通して外部に排出される。エアロゾルは、マウスピース５００（図１参照）を通して、使用者の鼻または口に吸引される。
【０１２７】
［実施の形態１７］
図３９および図４０を参照して、本実施の形態について説明する。本実施の形態におけるネブライザキットは、上述の実施の形態１における粒子選別部３００（図３等参照）の代わりに粒子選別部３００Ｂを備え、流路形成体４００（図３等参照）の代わりに流路形成体４００Ｂを備える。以下に述べる粒子選別部３００Ｂおよび流路形成体４００Ｂの構成は、上述の実施の形態２〜１５にも適用されることができる。
【０１２８】
本実施の形態においては、流路形成体４００Ｂの上方筒状部４１４および下方筒状部４１０が互いに別体として構成され、下方筒状部４１０の内側に、粒子選別部３００Ｂが下方筒状部４１０と一体的に設けられる。上方筒状部４１４は、粒子選別部３００Ｂの上方筒状部３２０の上端に嵌め込まれる。
【０１２９】
粒子選別部３００Ｂおよび流路形成体４００Ｂが用いられる場合であっても、霧化部Ｍ（図１４等参照）からエアロゾル排出口４２０に向かって移動するエアロゾルのうち粒子径の大きなものは（たとえば１０μｍ以上）、羽根部３４０の表面に付着する。羽根部３４０によって選別された所望の粒子径（たとえば２μｍ以上１０μｍ未満）を有するエアロゾルは、エアロゾル排出口４２０を通して外部に排出される。エアロゾルは、マウスピース５００（図１参照）を通して、使用者の鼻または口に吸引される。
【０１３０】
［実施の形態１８］
図４１を参照して、本実施の形態について説明する。本実施の形態におけるネブライザキットは、上述の実施の形態１における粒子選別部３００（図３等参照）の代わりに粒子選別部３００Ｃを備え、流路形成体４００（図３等参照）の代わりに流路形成体４００Ｃを備える。以下に述べる粒子選別部３００Ｃおよび流路形成体４００Ｃの構成は、上述の実施の形態２〜１５にも適用されることができる。
【０１３１】
本実施の形態においては、流路形成体４００Ｃの上方筒状部４１４および下方筒状部４１０が互いに別体として構成される。下方筒状部４１０には、筒状固定部４７０が設けられる。筒状固定部４７０の内側には段差４７２が設けられる。筒状固定部４７０の内側に、粒子選別部３００Ｃの筒状部３２２が嵌め込まれる。筒状部３２２の内側には、４枚の羽根部３４０が設けられる。粒子選別部３００Ｃは、上方筒状部４１４と下方筒状部４１０との間に挟みこまれることによって、流路形成体４００Ｃに対して固定される。
【０１３２】
粒子選別部３００Ｃおよび流路形成体４００Ｃが用いられる場合であっても、霧化部Ｍ（図１４等参照）からエアロゾル排出口４２０に向かって移動するエアロゾルのうち粒子径の大きなものは（たとえば１０μｍ以上）、羽根部３４０の表面に付着する。羽根部３４０によって選別された所望の粒子径（たとえば２μｍ以上１０μｍ未満）を有するエアロゾルは、エアロゾル排出口４２０を通して外部に排出される。エアロゾルは、マウスピース５００（図１参照）を通して、使用者の鼻または口に吸引される。
【０１３３】
［実施の形態１９］
図４２を参照して、本実施の形態について説明する。本実施の形態におけるネブライザキットは、上述の実施の形態１における粒子選別部３００（図３等参照）の代わりに粒子選別部３００Ｄを備え、流路形成体４００（図３等参照）の代わりに流路形成体４００Ｄを備える。以下に述べる粒子選別部３００Ｄおよび流路形成体４００Ｄの構成は、上述の実施の形態２〜１５にも適用されることができる。
【０１３４】
本実施の形態においては、流路形成体４００Ｄの上方筒状部４１４および下方筒状部４１０が互いに別体として構成される。下方筒状部４１０には、筒状固定部４７０が設けられる。筒状固定部４７０の内側には段差４７２が設けられる。筒状固定部４７０の内側に、粒子選別部３００Ｄの筒状部３２２が嵌め込まれる。筒状部３２２の内側には、複数の羽根部３４０Ａが設けられる。粒子選別部３００Ｄは、上方筒状部４１４と下方筒状部４１０との間に挟みこまれることによって、流路形成体４００Ｄに対して固定される。
【０１３５】
粒子選別部３００Ｄおよび流路形成体４００Ｄが用いられる場合であっても、霧化部Ｍ（図１４等参照）からエアロゾル排出口４２０に向かって移動するエアロゾルのうち粒子径の大きなものは（たとえば１０μｍ以上）、羽根部３４０Ａの表面に付着する。羽根部３４０Ａによって選別された所望の粒子径（たとえば２μｍ以上１０μｍ未満）を有するエアロゾルは、エアロゾル排出口４２０を通して外部に排出される。エアロゾルは、マウスピース５００（図１参照）を通して、使用者の鼻または口に吸引される。
【０１３６】
［実施の形態２０］
図４３を参照して、本実施の形態について説明する。本実施の形態におけるネブライザキットは、上述の実施の形態１における粒子選別部３００（図３等参照）の代わりに粒子選別部３００Ｅを備え、流路形成体４００（図３等参照）の代わりに流路形成体４００Ｅを備える。以下に述べる粒子選別部３００Ｅおよび流路形成体４００Ｅの構成は、上述の実施の形態２〜１５にも適用されることができる。
【０１３７】
本実施の形態においては、流路形成体４００Ｅの上方筒状部４１４および下方筒状部４１０が互いに別体として構成される。下方筒状部４１０には、筒状固定部４７０が設けられる。筒状固定部４７０の内側には嵌合凹部４７４が設けられる。筒状固定部４７０の内側に、粒子選別部３００Ｅの筒状部３２２が嵌め込まれる。筒状部３２２の内側には、４枚の羽根部３４０が設けられる。筒状部３２２の外側には、嵌合凸部３７４が設けられる。粒子選別部３００Ｅは、嵌合凸部３７４と嵌合凹部４７４とが相互に嵌合した状態で上方筒状部４１４と下方筒状部４１０との間に挟みこまれることによって、流路形成体４００Ｅに対して固定される。
【０１３８】
粒子選別部３００Ｅおよび流路形成体４００Ｅが用いられる場合であっても、霧化部Ｍ（図１４等参照）からエアロゾル排出口４２０に向かって移動するエアロゾルのうち粒子径の大きなものは（たとえば１０μｍ以上）、羽根部３４０の表面に付着する。羽根部３４０によって選別された所望の粒子径（たとえば２μｍ以上１０μｍ未満）を有するエアロゾルは、エアロゾル排出口４２０を通して外部に排出される。粒子選別部３００Ｅは、流路形成体４００Ｅに対して回転方向の移動が規制されているため、設計値により近い粒子径を有するエアロゾルが、外部に排出される。エアロゾルは、マウスピース５００（図１参照）を通して、使用者の鼻または口に吸引される。
【０１３９】
［実施の形態２１］
図４４を参照して、本実施の形態について説明する。本実施の形態におけるネブライザキットは、上述の実施の形態１における粒子選別部３００（図３等参照）の代わりに粒子選別部３００Ｆを備え、流路形成体４００（図３等参照）の代わりに流路形成体４００Ｆを備える。以下に述べる粒子選別部３００Ｆおよび流路形成体４００Ｆの構成は、上述の実施の形態２〜１５にも適用されることができる。
【０１４０】
本実施の形態においては、流路形成体４００Ｆの上方筒状部４１４および下方筒状部４１０が互いに別体として構成される。下方筒状部４１０には、筒状固定部４７０が設けられる。筒状固定部４７０の内側には嵌合凹部４７４が設けられる。筒状固定部４７０の内側に、粒子選別部３００Ｆの筒状部３２２が嵌め込まれる。筒状部３２２の内側には、複数の羽根部３４０Ａが設けられる。筒状部３２２の外側には、嵌合凸部３７４が設けられる。粒子選別部３００Ｆは、嵌合凸部３７４と嵌合凹部４７４とが相互に嵌合した状態で上方筒状部４１４と下方筒状部４１０との間に挟みこまれることによって、流路形成体４００Ｆに対して固定される。
【０１４１】
粒子選別部３００Ｆおよび流路形成体４００Ｆが用いられる場合であっても、霧化部Ｍ（図１４等参照）からエアロゾル排出口４２０に向かって移動するエアロゾルのうち粒子径の大きなものは（たとえば１０μｍ以上）、羽根部３４０Ａの表面に付着する。羽根部３４０Ａによって選別された所望の粒子径（たとえば２μｍ以上１０μｍ未満）を有するエアロゾルは、エアロゾル排出口４２０を通して外部に排出される。粒子選別部３００Ｆは、流路形成体４００Ｆに対して回転方向の移動が規制されているため、設計値により近い粒子径を有するエアロゾルが、外部に排出される。エアロゾルは、マウスピース５００（図１参照）を通して、使用者の鼻または口に吸引される。
【０１４２】
［実施の形態２２］
図４５〜図５４を参照して、本実施の形態におけるネブライザキット１０００Ｇについて説明する。図４５は、ネブライザキット１０００Ｇを示す斜視図である。図４６は、ネブライザキット１０００Ｇの分解した状態を示す斜視図である。
【０１４３】
（ネブライザキット１０００Ｇ）
図４５および図４６に示すように、ネブライザキット１０００Ｇは、ケース体１００Ｇ、吸上経路形成体２００Ｇ（図４６参照）、粒子選別部３００Ｇ（図４６参照）、および流路形成体４００Ｇを備える。
【０１４４】
（ケース体１００Ｇ・吸上経路形成体２００Ｇ）
図４７は、ケース体１００Ｇおよび吸上経路形成体２００Ｇを示す断面斜視図である。図４６および図４７に示すように、ケース体１００Ｇの筒状部１１０には、筒状部１１０の内側から筒状部１１０の外側に向かって凹む凹部１９０が設けられる。ケース体１００Ｇにおける凹部１９０以外の構成としては、上述の各実施の形態におけるケース体１００Ａ（図２０参照），１００Ｂ（図２１参照），１００Ｃ（図２２参照），１００Ｄ（図２５参照）の各構成が採用されてもよい。
【０１４５】
吸上経路形成体２００Ｇの板状把持部２５０には、筒状部２１０から遠ざかる方向に突出する凸部２９０が設けられる。吸上経路形成体２００Ｇがケース体１００Ｇの内部に配置された状態においては、吸上経路形成体２００Ｇの凸部２９０は、ケース体１００Ｇの凹部１９０の内側に嵌め込まれる（図４７参照）。吸上経路形成体２００Ｇは、ケース体１００Ｇに対して固定される。吸上経路形成体２００Ｇにおける凸部２９０以外の構成としては、上述の各実施の形態における吸上経路形成体２００（図３参照）、２００Ａ（図１５参照），２００Ｂ（図１６参照），２００Ｃ（図１７参照），２００Ｄ（図１８参照），２００Ｅ（図１９参照），２００Ｆ（図２４参照），２００Ｇ（図２５参照）の各構成が採用されてもよい。
【０１４６】
（粒子選別部３００Ｇ・流路形成体４００Ｇ）
図４６を再び参照して、粒子選別部３００Ｇは、中心軸部３３０の周りに、２枚の羽根部３４０が設けられる。粒子選別部３００Ｇにおいては、筒状固定部４７０（図３９，図４０における上方筒状部３２０に相当）から２枚の羽根部３４０が独立した構成となっている。２枚の羽根部３４０の各々は、霧化部Ｍとエアロゾル排出口４２０との間の空間を扇状に遮蔽する。羽根部３４０の上端には、上方に向かって延在する薄板部３４４が設けられる。本実施の形態においては、羽根部３４０の霧化部Ｍ（図１１，図３２等参照）に対する姿勢が、羽根部３４０が回転することによって調節される。
【０１４７】
具体的には、流路形成体４００Ｇは、上方筒状部４１４および下方筒状部４１０が互いに別体として固定される。下方筒状部４１０には、上方に向かって延在する筒状固定部４７０が設けられる。筒状固定部４７０の内側には、２枚の羽根部４４０が設けられる（図５０も参照）。羽根部４４０の形状は、羽根部３４０と同様に形成される。羽根部４４０は、筒状固定部４７０を粒子選別部３００Ｇにおける上方筒状部３２０（図３９，図４０参照）として見た場合、羽根部４４０は、上方筒状部３２０の内側（粒子選別部としての端部寄り）に位置する。筒状固定部４７０の外側には、目盛り４９０が設けられる。
【０１４８】
図４８は、流路形成体４００Ｇの上方筒状部４１４を示す斜視図である。上方筒状部４１４の内側には、取付凹部４９４が設けられる。取付凹部４９４は、粒子選別部３００Ｇ（図４６参照）の薄板部３４４（図４６参照）の形状に対応する。上方筒状部４１４の下端には、目盛り４９０に対応する指示部４９２が垂設される（図４６も参照）。
【０１４９】
図４９は、粒子選別部３００Ｇおよび流路形成体４００Ｇの上方筒状部４１４が互いに固定される際の様子を示す断面斜視図である。粒子選別部３００Ｇは、流路形成体４００Ｇに対して着脱可能に構成され、上方筒状部４１４と下方筒状部４１０（図４６参照）との間に挟みこまれることによって、流路形成体４００Ｇに対して固定される。
【０１５０】
粒子選別部３００Ｇが流路形成体４００Ｇに対して固定される際、粒子選別部３００Ｇの薄板部３４４は、上方筒状部４１４の取付凹部４９４の内側に嵌め込まれる。上方筒状部４１４が回転された際（図５１における矢印ＡＲ４９２参照）、上方筒状部４１４と粒子選別部３００Ｇとは、互いに同一方向に一体的に回転する。
【０１５１】
図５０は、粒子選別部３００Ｇおよび流路形成体４００Ｇの下方筒状部４１０が互いに固定される際の様子を示す断面斜視図である。上述のとおり、粒子選別部３００Ｇは、上方筒状部４１４（図４６参照）と下方筒状部４１０との間に挟みこまれることによって、流路形成体４００Ｇに対して固定される。粒子選別部３００Ｇの羽根部３４０は、流路形成体４００Ｇの下方筒状部４１０に対して着脱可能に構成される。
【０１５２】
粒子選別部３００Ｇが流路形成体４００Ｇに対して固定される際、粒子選別部３００Ｇの中心軸部３３０の下端は、筒状固定部４７０の中央に設けられた受部４５０に嵌め込まれる。上方筒状部４１４（図４９等参照）が回転された際（図５１における矢印ＡＲ４９２参照）、粒子選別部３００Ｇは、受部４５０を中心として、上方筒状部４１４と一体的に回転する。
【０１５３】
（ネブライザキット１０００Ｇの動作）
図５１は、ネブライザキット１０００Ｇの動作を示す斜視図である。ネブライザキット１０００Ｇにおいては、吸上経路形成体２００Ｇ（図４７参照）がケース体１００Ｇ（図４７参照）に対して固定されている。霧化部Ｍ（図１１，図３２等参照）において生成されたエアロゾルは、所定の方向性を持ってエアロゾル排出口４２０に向かって移動する。ネブライザキット１０００Ｇにおいては、霧化部Ｍとエアロゾル排出口４２０との間に、羽根部３４０（図４６等参照）が位置する。羽根部３４０の霧化部Ｍに対する姿勢は、調節可能に構成される。
【０１５４】
図５２は、エアロゾル排出口４２０からネブライザキット１０００Ｇを見下ろした際の、粒子選別部３００Ｇおよび流路形成体４００Ｇを示す第１平面図である。図５２においては、上方筒状部４１４の指示部４９２は、目盛り４９０（図５１参照）の「ＭＩＮ」を指している。
【０１５５】
図５２に示す状態においては、霧化部Ｍとエアロゾル排出口４２０との間に形成されるエアロゾルの通路は、そのほとんどが羽根部３４０および羽根部４４０によって遮蔽されている。霧化部Ｍからエアロゾル排出口４２０に向かって移動するエアロゾルのうち粒子径の大きなもののほとんどは、羽根部３４０および羽根部４４０の表面に付着する。
【０１５６】
図５３は、エアロゾル排出口４２０からネブライザキット１０００Ｇを見下ろした際の、粒子選別部３００Ｇおよび流路形成体４００Ｇを示す第２平面図である。図５３においては、上方筒状部４１４の指示部４９２は、目盛り４９０（図５１参照）の「ＭＩＮ」と「ＭＡＸ」との間の部分を指している。図５３に示す羽根部３４０は、図５２に示す羽根部３４０に比べて、上方筒状部４１４の回転に伴って所定の角度だけ時計回り方向に回転している。
【０１５７】
図５３に示す状態においては、羽根部３４０の一部が、羽根部４４０の下方に入り込んでいる。霧化部Ｍとエアロゾル排出口４２０との間に形成されるエアロゾルの通路は、羽根部３４０および羽根部４４０によってわずかに遮蔽されている（液体貯留部１１６の一部が露出している）。霧化部Ｍからエアロゾル排出口４２０に向かって移動するエアロゾルのうち粒子径の大きなものも、羽根部３４０および羽根部４４０の間を通過して、エアロゾル排出口４２０から外部に排出されることができる。
【０１５８】
図５４は、エアロゾル排出口４２０からネブライザキット１０００Ｇを見下ろした際の、粒子選別部３００Ｇおよび流路形成体４００Ｇを示す第３平面図である。図５４においては、上方筒状部４１４の指示部４９２は、目盛り４９０（図５１参照）の「ＭＡＸ」を指している。図５４に示す羽根部３４０は、図５３に示す羽根部３４０に比べて、上方筒状部４１４の回転に伴って所定の角度だけ時計回り方向にさらに回転している。
【０１５９】
図５４に示す状態においては、羽根部３４０のほとんどが、羽根部４４０の下方に入り込んでいる。霧化部Ｍとエアロゾル排出口４２０との間に形成されるエアロゾルの通路は、羽根部３４０によってはほとんど遮蔽されていない。霧化部Ｍからエアロゾル排出口４２０に向かって移動するエアロゾルのうち粒子径の大きなものも、羽根部３４０および羽根部４４０の間を通過して、エアロゾル排出口４２０から外部に排出されることができる。
【０１６０】
（作用・効果）
羽根部３４０が回転することによって、羽根部３４０の霧化部Ｍに対する姿勢が調節される。羽根部３４０の回転によって、霧化部Ｍとエアロゾル排出口４２０との間に形成されるエアロゾルの通路の広さ（羽根部３４０による遮蔽率）が増減する。エアロゾル排出口４２０から排出されるエアロゾルの粒子径は、霧化部Ｍとエアロゾル排出口４２０との間に形成されるエアロゾルの通路の広さに依存する。したがって、ネブライザキット１０００Ｇによれば、使用者に投与される水、食塩水、気管支等の疾患を治療する薬液、または、ワクチンに応じて、最適な粒子径を有するエアロゾルを得ることが可能となる。
【０１６１】
また、図５０に示すように、流路形成体４００Ｇにおいては、下方（霧化部Ｍ寄りの部分）から筒状固定部４７０（エアロゾル排出口４２０）の方に向かうにつれて内径が小さくなるように縮径している。羽根部４４０および羽根部３４０は、効果的に粒子を選別することができる。
【０１６２】
［実施の形態２３］
図５５および図５６を参照して、本実施の形態について説明する。本実施の形態におけるネブライザキットは、上述の実施の形態２２における粒子選別部３００Ｇ（図４６等参照）の代わりに粒子選別部３００Ｈを備え、流路形成体４００Ｇ（図４６等参照）の代わりに流路形成体４００Ｈを備える。
【０１６３】
本実施の形態における粒子選別部３００Ｈは、筒状部３２２の内側に複数の羽根部３４０Ａを有する。複数の羽根部３４０Ａは、棒状に形成されるとともに、断面視略三角形状に配置される。複数の羽根部３４０Ａは、互いに対して平行な位置関係にある（図５６参照）。複数の羽根部３４０Ａの各々は、霧化部Ｍとエアロゾル排出口４２０との間の空間を線状に遮蔽する。
【０１６４】
筒状部３２２の上端には、上方筒状部４１４（図４６参照）の取付凹部４９４に嵌め込まれる薄板部３４４が設けられる。筒状部３２２の外周には、筒状固定部４７０の嵌合凹部４７４内に嵌め込まれる嵌合凸部３７４が設けられる。
【０１６５】
本実施の形態においても、霧化部Ｍ（図１１，図３２等参照）において生成されたエアロゾルは、所定の方向性を持ってエアロゾル排出口４２０（図４６参照）に向かって移動する。霧化部Ｍとエアロゾル排出口４２０との間に、羽根部３４０Ａが位置する。羽根部３４０Ａの霧化部Ｍに対する姿勢は、調節可能に構成される。
【０１６６】
羽根部３４０Ａが回転することによって、羽根部３４０Ａの霧化部Ｍに対する姿勢が調節される。羽根部３４０Ａの回転によって、霧化部Ｍとエアロゾル排出口４２０との間に形成されるエアロゾルの通路の広さ（羽根部３４０Ａによる遮蔽率）が増減する。エアロゾル排出口４２０から排出されるエアロゾルの粒子径は、霧化部Ｍとエアロゾル排出口４２０との間に形成されるエアロゾルの通路の広さに依存する。したがって、本実施の形態におけるネブライザキットによっても、使用者に投与される水、食塩水、気管支等の疾患を治療する薬液、または、ワクチンに応じて、最適な粒子径を有するエアロゾルを得ることが可能となる。
【０１６７】
［実施の形態２４］
図５７を参照して、本実施の形態について説明する。本実施の形態におけるネブライザキットは、上述の実施の形態２２における粒子選別部３００Ｇ（図４６等参照）の代わりに粒子選別部３００Ｊを備え、流路形成体４００Ｇ（図４６等参照）の代わりに流路形成体４００Ｊを備える。
【０１６８】
粒子選別部３００Ｊにおいては、筒状部３２２の外周面に、接続部３７６と、把持部３７８と、突起部３８８とが設けられる。接続部３７６は、筒状部３２２に対して法線方向に突出する。把持部３７８は、接続部３７６の突出方向の先端から垂れ下がるように設けられる。接続部３７６の形状は、次述する流路形成体４００Ｊの凹凸部４７６の形状に対応している。突起部３８８の形状は、次述する流路形成体４００Ｊの凹溝４７８の形状に対応している。突起部３８８は、凹溝４７８に嵌め込まれる。
【０１６９】
流路形成体４００Ｊにおいては、筒状固定部４７０に凹凸部４７６が設けられる。凹凸部４７６は、筒状固定部４７０の筒軸方向と平行な方向に沿って設けられる。凹凸部４７６には、粒子選別部３００Ｊの接続部３７６が嵌め込まれる。凹凸部４７６は、接続部３７６と相互に係合することによって、粒子選別部３００Ｊを所定の高さ位置で保持することができる。筒状固定部４７０の外表面の凹凸部４７６の近傍には、目盛り４９６が設けられる。
【０１７０】
本実施の形態においても、霧化部Ｍ（図１１，図３２等参照）において生成されたエアロゾルは、所定の方向性を持ってエアロゾル排出口４２０（図５７参照）に向かって移動する。霧化部Ｍとエアロゾル排出口４２０との間に、羽根部３４０が位置する。羽根部３４０の霧化部Ｍに対する位置は、調節可能に構成される。
【０１７１】
把持部３７８を用いて粒子選別部３００Ｊの流路形成体４００Ｊに対する位置が変更されることによって、羽根部３４０と霧化部Ｍとの間隔が増減される。エアロゾル排出口４２０から排出されるエアロゾルの粒子径は、羽根部３４０と霧化部Ｍとの間隔にも依存する。したがって、本実施の形態におけるネブライザキットによっても、使用者に投与される水、食塩水、気管支等の疾患を治療する薬液、または、ワクチンに応じて、最適な粒子径を有するエアロゾルを得ることが可能となる。
【０１７２】
［実施の形態２５］
図５８および図５９を参照して、本実施の形態について説明する。本実施の形態におけるネブライザキットは、上述の実施の形態２２における粒子選別部３００Ｇ（図４６等参照）の代わりに粒子選別部３００Ｋを備え、流路形成体４００Ｇ（図４６等参照）の代わりに流路形成体４００Ｋを備える。
【０１７３】
粒子選別部３００Ｋにおいては、筒状部３２２の外周面に、突起部３７７および嵌合凸部３７４が設けられる。突起部３７７の形状は、流路形成体４００Ｋ（上方筒状部４１４）の嵌合長孔４２７の形状に対応している。嵌合凸部３７４の形状は、流路形成体４００Ｋ（下方筒状部４１０）の嵌合凹部４７４の形状に対応している。嵌合凸部３７４は、嵌合凹部４７４に嵌め込まれる。
【０１７４】
図５９に示すように、筒状部３２２の内側には、一枚の羽根部４４０が設けられ、羽根部４４０によって、棒状軸部３２９が支持される。棒状軸部３２９は、筒状部３２２の筒軸に沿うように配置される。
【０１７５】
粒子選別部３００Ｋは、３枚の羽根部３４０Ｂを有する。３枚の羽根部３４０Ｂの各々には、嵌め込み穴部３４９が設けられる。嵌め込み穴部３４９を利用して、３枚の羽根部３４０Ｂは棒状軸部３２９に順に嵌め込まれる。嵌め込み穴部３４９は、棒状軸部３２９に対して摩擦係合するように構成されるとよい。
【０１７６】
本実施の形態においても、霧化部Ｍ（図１１，図３２等参照）において生成されたエアロゾルは、所定の方向性を持ってエアロゾル排出口４２０（図５８参照）に向かって移動する。霧化部Ｍとエアロゾル排出口４２０との間に、羽根部３４０Ｂが位置する。羽根部３４０Ｂの霧化部Ｍに対する姿勢は、調節可能に構成される。
【０１７７】
羽根部３４０Ｂが回転することによって、羽根部３４０Ｂの霧化部Ｍに対する姿勢が調節される。羽根部３４０Ｂの回転によって、霧化部Ｍとエアロゾル排出口４２０との間に形成されるエアロゾルの通路の広さ（羽根部３４０Ｂによる遮蔽率）が増減する。エアロゾル排出口４２０から排出されるエアロゾルの粒子径は、霧化部Ｍとエアロゾル排出口４２０との間に形成されるエアロゾルの通路の広さに依存する。したがって、本実施の形態におけるネブライザキットによっても、使用者に投与される水、食塩水、気管支等の疾患を治療する薬液、または、ワクチンに応じて、最適な粒子径を有するエアロゾルを得ることが可能となる。
【０１７８】
３枚の羽根部３４０Ｂは、棒状軸部３２９に対して独立した角度で取り付けられることができる。羽根部３４０Ｂによる遮蔽率は、より小さな範囲で調整されることが可能となるため、最適な粒子径を有するエアロゾルを得る上での利便性が高い。また、羽根部３４０Ｂは、筒状部３２２から容易に取り外されることができるため、洗浄する上での利便性も高い。
【０１７９】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１８０】
１００，１００Ａ，１００Ｂ，１００Ｃ，１００Ｄ，１００Ｇ，９００  ケース体、１０２，２３０，２３５，９２４ａ  開口部、１１０，２１０，３２２  筒状部、１１３，９１３  圧縮空気導入管、１１３ａ，９１３ａ  上部先端部、１１３ｂ  外周面、１１３ｓ  先端表面、１１５，９１５  ノズル孔、１１５ｃ  中心線、１１６，９１６  液体貯留部、１４３  台座、１４４，１９０  凹部、１８０  嵌合孔部、２００，２００Ａ，２００Ｂ，２００Ｃ，２００Ｄ，２００Ｅ，２００Ｆ，２００Ｇ，２００Ｈ，２００Ｊ，２００Ｋ，２００Ｌ  吸上経路形成体、２１０ａ  内周面、２２０  吸上経路形成部、２２１，２２２  吸上経路、２３２  上端表面、２４０  吸液口、２４１，２４６  膨出部、２４２  端面、２４３  吸液口形成体、２４３Ｔ  先端部、２４４  内側、２５０  板状把持部、２５１  プレート部、２５２，２７４，２９０  凸部、２６０  液溜まり部、２７０  上部傾斜面領域、２７２  傾斜面、２８０  下部傾斜面領域、３００，３００Ａ，３００Ｂ，３００Ｃ，３００Ｄ，３００Ｅ，３００Ｆ，３００Ｇ，３００Ｈ，３００Ｊ，３００Ｋ  粒子選別部、３１０，４１０  下方筒状部、３２０，４１４  上方筒状部、３２９  棒状軸部、３３０  中心軸部、３４０，３４０Ａ，３４０Ｂ，４４０  羽根部、３４４  薄板部、３４９  嵌め込み穴部、３７４，４８０  嵌合凸部、３７６  接続部、３７７，３８８  突起部、３７８  把持部、４００，４００Ｂ，４００Ｃ，４００Ｄ，４００Ｅ，４００Ｆ，４００Ｇ，４００Ｈ，４００Ｊ，４００Ｋ，９３０  流路形成体、４１２  中央筒状部、４２０，９３２  エアロゾル排出口、４２７  嵌合長孔、４３０  外気導入口、４５０  受部、４７０  筒状固定部、４７２  段差、４７４  嵌合凹部、４７６  凹凸部、４７８  凹溝、４９０，４９６  目盛り、４９２  指示部、４９４  取付凹部、５００  マウスピース、５１０  本体、５１１  圧縮空気送風口、５１２  チューブ、９０２  上部開口、９２０  霧化部形成体、９２２  バッフル部、９２３  バッフル支持部、９２４  吸液管形成部、９２５  突起、９２５Ｔ  下端、９３４  外気導入管、１０００，１０００Ｇ，１０００Ｚ  ネブライザキット、２０００  ネブライザ、ＡＲ１１３，ＡＲ２２０，ＡＲ２７２，ＡＲ４３０，ＡＲ４９２，ＡＲ９１３，ＡＲ９１５，ＡＲ９２２，ＡＲ９３２，ＡＲ９３４  矢印、Ｍ  霧化部、Ｒ１１５  出口領域、Ｗ  液体、Ｗ１  液滴、Ｗ２  エアロゾル。
【図１】
0006035738.tif 000002
【図２】
0006035738.tif 000003
【図３】
0006035738.tif 000004
【図４】
0006035738.tif 000005
【図５】
0006035738.tif 000006
【図６】
0006035738.tif 000007
【図７】
0006035738.tif 000008
【図８】
0006035738.tif 000009
【図９】
0006035738.tif 000010
【図１０】
0006035738.tif 000011
【図１１】
0006035738.tif 000012
【図１２】
0006035738.tif 000013
【図１３】
0006035738.tif 000014
【図１４】
0006035738.tif 000015
【図１５】
0006035738.tif 000016
【図１６】
0006035738.tif 000017
【図１７】
0006035738.tif 000018
【図１８】
0006035738.tif 000019
【図１９】
0006035738.tif 000020
【図２０】
0006035738.tif 000021
【図２１】
0006035738.tif 000022
【図２２】
0006035738.tif 000023
【図２３】
0006035738.tif 000024
【図２４】
0006035738.tif 000025
【図２５】
0006035738.tif 000026
【図２６】
0006035738.tif 000027
【図２７】
0006035738.tif 000028
【図２８】
0006035738.tif 000029
【図２９】
0006035738.tif 000030
【図３０】
0006035738.tif 000031
【図３１】
0006035738.tif 000032
【図３２】
0006035738.tif 000033
【図３３】
0006035738.tif 000034
【図３４】
0006035738.tif 000035
【図３５】
0006035738.tif 000036
【図３６】
0006035738.tif 000037
【図３７】
0006035738.tif 000038
【図３８】
0006035738.tif 000039
【図３９】
0006035738.tif 000040
【図４０】
0006035738.tif 000041
【図４１】
0006035738.tif 000042
【図４２】
0006035738.tif 000043
【図４３】
0006035738.tif 000044
【図４４】
0006035738.tif 000045
【図４５】
0006035738.tif 000046
【図４６】
0006035738.tif 000047
【図４７】
0006035738.tif 000048
【図４８】
0006035738.tif 000049
【図４９】
0006035738.tif 000050
【図５０】
0006035738.tif 000051
【図５１】
0006035738.tif 000052
【図５２】
0006035738.tif 000053
【図５３】
0006035738.tif 000054
【図５４】
0006035738.tif 000055
【図５５】
0006035738.tif 000056
【図５６】
0006035738.tif 000057
【図５７】
0006035738.tif 000058
【図５８】
0006035738.tif 000059
【図５９】
0006035738.tif 000060
【図６０】
0006035738.tif 000061
【図６１】
0006035738.tif 000062
【図６２】
0006035738.tif 000063